(57)【特許請求の範囲】
【請求項１】
空気袋と、この空気袋の外側に配置されて自身の環状形態を保持するための弾性板とを内部に有する血圧計の腕帯において、
前記弾性板は、装着された腕の径の細い側に対応する部分の剛性を高く、腕の径の太い側に対応する部分の剛性を低くしたことを特徴とする血圧計の腕帯。
【請求項２】
前記弾性板は、環状の腕周方向においても剛性を不均一としたことを特徴とする請求項１に記載の血圧計の腕帯。
【請求項３】
前記弾性板は、腕への装着時に内側となる端部の剛性を低くしたことを特徴とする請求項２に記載の血圧計の腕帯。
【請求項４】
前記弾性板は、肉厚を薄くすることで剛性の低い部分を形成したことを特徴とする請求項１から３のいずれかに記載の血圧計の腕帯。
【請求項５】
前記弾性板は、形状の異なる少なくとも２個の部材を接合し、前記少なくとも２個の部材が重ならない領域を設けることで剛性の低い部分を形成したことを特徴とする請求項１から３のいずれかに記載の血圧計の腕帯。
【請求項６】
前記弾性板は、素材に孔または穴加工を施すことで剛性の低い部分を形成したことを特徴とする請求項１から３のいずれかに記載の血圧計の腕帯。
【発明の詳細な説明】
【０００１】
【発明の属する技術分野】
本発明は、血圧計の腕帯に関し、詳細には空気袋の外側に配置されて自身の環状形態を保持するための弾性板に特徴がある腕帯に関する。
【０００２】
【従来の技術】
血圧計の腕帯は一般に、図６（斜視図）及び図７（断面図）に示すように、布袋３０内に空気袋３１と弾性板３２が配置されたもので、空気袋３１にはチューブ３３が接続され、布袋３０の外側には面ファスナ３４が取り付けられている。弾性体３２は、空気袋３１の外側に配置され、自身の弾性力により腕帯を環状形態に保持するためのものであり、図８に示すように、均一な肉厚であり、一部が不連続部分３２ａとなる真円形の断面形状を持つものである。
【０００３】
【発明が解決しようとする課題】
しかしながら、図８のような弾性板３２では、
▲１▼弾性板３２を腕に装着すると、その弾性力により弾性板の不連続部分３２ａのエッジが腕に食い込み、特に腕の太い使用者に痛みを与えることがある。
▲２▼弾性板３２が均一な肉厚で、かつ断面形状が真円形であるために、腕の径の太い人や細い人に対応した変形ができず、腕にフィットしにくい。
【０００４】
上記の問題点に対し、特開昭６１−２３８２２９号公報では図９に示すような弾性板４２が提案されている。この弾性板４２は、両端部から中央部に向けて腕周方向に肉厚が徐々に厚くなり、それによって弾性板４２の剛性が徐々に大きくなるように形成されており、中央部で肉厚及び剛性が最大となっている。
【０００５】
しかし、この弾性板４２でも、上記の問題点に対しては改善が見られるものの、例えば上腕部において肘付近の腕の径は細いが肩に近づくにつれて腕の径が太くなっているなど、腕の部位における径の太さの変化が大きい、いわゆる傾斜の大きい腕に対しては、弾性板４２は腕の径の太い部分にはフィットするが細い部分では弾性板４２と腕との間に隙間が生じてしまう。このように、弾性板４２は腕の形状に対応する変形が十分でない。
【０００６】
本発明は、このような従来技術の課題を解決することを目的としてなされたもので、腕の形状の多様性、特に傾斜の大きい腕に対してもフィット性に優れた血圧計の腕帯を提供するものである。
【０００７】
【課題を解決するための手段】
前記目的を達成するために、本発明の血圧計の腕帯は、空気袋と、この空気袋の外側に配置されて自身の環状形態を保持するための弾性板とを内部に有するものにおいて、弾性板は、装着された腕の径の細い側に対応する部分の剛性を高く、腕の径の太い側に対応する部分の剛性を低くしたことを特徴とする。
【０００８】
この弾性板では、腕への装着時に剛性の高い部分は腕をしっかりと締め付け、剛性の低い部分は腕の形状に倣うことになるため、腕の形状に適合して装着できる。また、弾性板は装着された腕の径の細い方に相当する側に対応する部分の剛性を高く、腕の径の太い方に相当する側に対応する部分の剛性を低くすることで、特に傾斜の大きい腕に適合して装着できる。
【０００９】
さらに、弾性板は環状の腕周方向においても剛性を不均一としても構わない。こうすれば、弾性板がねじれやすくなり、さらに多様な腕の形状に適合できる。
【００１０】
また、弾性板は腕への装着時に内側となる端部の剛性を低くすることもできる。こうすれば、腕への装着時に腕に当接した端部は、腕の形状に倣うことになるため、腕への痛みを緩和できる。
【００１１】
この弾性板では、肉厚を薄くすることで剛性の低い部分を形成してもよい。これにより、剛性の異なる領域を容易に形成することができる。また、弾性板は形状の異なる少なくとも２個の部材を接合し、少なくとも２個の部材が重ならない領域を設けることで剛性の低い部分を形成しても構わない。これにより、剛性の違いをより多くの条件で設定することが可能となる。
【００１２】
さらに、弾性板は素材に孔または穴加工を施すことで剛性の低い部分を形成しても構わない。孔（または穴）の下降位置、密度、孔（または穴）径などの設定により、剛性の違いをより適切に設定することが可能となる。
【００１３】
【発明の実施の形態】
以下、図面を参照して本発明の実施形態を説明する。ただし、本発明における血圧計の腕帯はその弾性板に特徴があり、弾性板以外の腕帯の構造は図６に示す従来のものでもよい。したがって、以下では弾性板を中心に説明する。この弾性板に関する作用は、その弾性板を備える腕帯も備えている。
【００１４】
（第１実施形態）
本発明の第１実施形態による血圧計の腕帯に備えられる弾性板の斜視図を図１に、またその展開図を図２（ａ）に示す。また、図２（ａ）において、Ａ−Ａ’断面で図中右方から見た断面図を図２（ｂ）に示す。この弾性板１は、ＰＰ（ポリプロピレン）などの樹脂を材質としており、薄肉部分２と厚肉部分３の２種類の肉厚が異なる領域を備えている。弾性板１を腕に装着する際には、一端部４が他端部５の内側にくるように巻き付ける。弾性板１を腕に装着した状態における腕軸方向に着目すると、筒状となった弾性板１の一端が薄肉部分２に、他端が厚肉部分３になっている。厚肉部分３は剛性が高く、腕に対してしっかりと巻き付き、また薄肉部分２は剛性が低く、厚肉部分３に対して腕の形状に倣って変形しやすい。これにより、腕の径の細い部分に厚肉部分３が、太い部分に薄肉部分２が対応するように弾性板１の向きを合わせ、厚肉部分３と腕の径の細い部分との間に隙間ができないように弾性板１を巻き付けると、腕の径の太い部分には薄肉部分２が変形して密着するため、腕全体に隙間なく装着することができる。
【００１５】
また、この実施形態では弾性板１の剛性を高低２段階で形成したが、より細かく剛性を設定したり、図２（ｃ）に示した断面図のように肉厚を腕軸方向の一端側から他端側に向かって徐変することなどにより剛性を連続的に変化させたりしても構わない。
【００１６】
（第２実施形態）
本発明の第２実施形態による血圧計の腕帯に備えられる弾性板の斜視図を図３に、その展開図を図４（ａ）に示す。また、図４（ａ）において、Ｂ−Ｂ’断面で図中右方から見た断面図を図４（ｂ）に示す。この弾性板１１は、薄肉部分１２と厚肉部分１３の２種類の肉厚が異なる領域を備えている。弾性板１１を上腕に装着する際には、この薄肉部分１２が肩側にくるように向け、一端部１４が他端部１５の内側にくるように上腕に巻き付ける。弾性板１１を上腕に装着した状態における腕軸方向に着目すると、肩側に相当する部分が肘側よりも薄肉部分１２に、肘側が厚肉部分１３になっている。これにより、本発明の第１実施形態による血圧計の腕帯に備えられる弾性板１と同様に、肩側に比べて径が細い肘付近の腕に対して剛性の高い肉厚部分１３を隙間ができないように巻き付けると、肘側に比べて径が太い肩側の腕には剛性の低い薄肉部分１２が変形して密着することにより、傾斜の大きい腕の全体に対して隙間なく装着することができる。
【００１７】
次に、腕周方向に着目すると、弾性体１１に図示しない空気袋に接続されたチューブを挿通する孔１６を設けた部分の両脇が、厚肉部分１３の腕軸方向の幅を部分的に狭くした狭幅部分１７、１８となっている。この狭幅部分１７、１８では弾性板１１の腕軸方向の剛性が低いので弾性板がねじれやすく、多様な傾斜度合いの腕に適合して、より高い密着性を確保して装着することができる。
【００１８】
また、孔１６付近は厚肉部分１３の腕軸方向の幅を広くした幅広部分１９としており、空気袋による腕への加圧の際の変形を低減するように剛性を高くしている。さらに、一端部１４および他端部１５については一端部１４付近を薄肉部分１２に、他端部１５付近を厚肉部分１３としている。これは、上腕に巻き付けた際、内側となって腕に当接する一端側１５は剛性を低くして腕の形状に倣うことで腕への痛みを緩和させ、また他端側１６は剛性を高くして腕への密着を確実にするためである。
【００１９】
剛性が均一ではない弾性板を形成するには、例えば薄肉部分１２と厚肉部分１３とを一体成型により弾性板１１を形成してもよいし、厚肉部分１３の肉厚で形成した弾性板１１の全体形状の部材から、薄肉部分１２に相当する部分を切削加工して肉厚を薄くしてもよい。また、薄肉部分１２の肉厚で形成した弾性板１１の全体形状の部材に、厚肉部分１３に相当する部分の形状の部材を接合することも可能である。その際、例えば全体形状の部材は剛性が低い材質を、厚肉部分１３に相当する部分の形状の部材は剛性が高い材質を用いるというように、剛性が異なる材質を用いることも効果的である。
【００２０】
また、展開図である図４に示した薄肉部分１２と厚肉部分１３の境界パターンは図示したものに限定されない。
【００２１】
（第３実施形態）
本発明の第３実施形態による血圧計の腕帯に備えられる弾性板２１の展開図を図５に示す。この弾性板２１は、第２実施形態による弾性板１１と同じ形態を実現するための他の形態であり、素材に孔加工（または穴加工）を施すことで腕軸方向および腕周方向の剛性を変化させている。すなわち、第２実施形態の弾性板１１における薄肉部分１２に相当する剛性を低くしたい部分２２には孔加工（または穴加工）を施して、孔（または穴）２４を複数設け、厚肉部分１３に相当する剛性を高くしたい部分２３には孔加工も穴加工も施していない。これにより、弾性板２１の全体の肉厚は均一であるが、腕軸方向および腕周方向の剛性は均一ではなく、腕の形状に適合して変形するような所望の剛性分布となり、第２実施形態の弾性板１１と同様に、腕の傾斜の大きさや形状が多様であっても、弾性板２１は腕に密着して装着することができる。
【００２２】
なお、孔または穴の加工位置、加工密度、孔径または穴径を任意に設定することで本発明の作用・効果はより効果的に実現できる。孔または穴の大きさも同じにする必要もなく、大小混在してもよい。図５では孔または穴の何れか一方の加工を施しているが、孔と穴とが混在する加工を施してもよい。したがって、孔または穴加工のパターンも、第２実施形態と同様に、図５に示したものに限定されない。
【００２３】
【発明の効果】
以上のように、本発明の血圧計の腕帯によれば、腕の形状の多様性、特に傾斜の大きい腕に対しても密着して装着できる。
【図面の簡単な説明】
【図１】本発明の第１実施形態における弾性体の斜視図である。
【図２】本発明の第１実施形態における弾性体の展開図である。
【図３】本発明の第２実施形態における弾性体の斜視図である。
【図４】本発明の第２実施形態における弾性体の展開図である。
【図５】本発明の第３実施形態における弾性体の展開図である。
【図６】一般的な血圧計の腕帯の外観を示す斜視図である。
【図７】図６の腕帯の内部を示す断面図である。
【図８】従来の弾性板の斜視図である。
【図９】従来の弾性板の斜視図である。
【符号の簡単な説明】
１  弾性板
２  薄肉部分
３  厚肉部分
４、５  両端部
１１  弾性板
１２  薄肉部分
１３  厚肉部分
１７、１８  狭幅部分
１９  幅広部分
２１  弾性板
２２  剛性を低くしたい部分
２３  剛性を高くしたい部分
２４  孔（または穴）
【図１】
0003622730.tif 000002
【図２】
0003622730.tif 000003
【図３】
0003622730.tif 000004
【図４】
0003622730.tif 000005
【図５】
0003622730.tif 000006
【図６】
0003622730.tif 000007
【図７】
0003622730.tif 000008
【図８】
0003622730.tif 000009
【図９】
0003622730.tif 000010